(57)【特許請求の範囲】
【請求項１】
略同一サイズとした対の紙片が折り部を介して連接して重ね合わされ、通常では接着することなく重ね合わせて所定の接着条件の付与により互いに接着する接着剤が前記紙片の重ね合わせ面それぞれに設けられて、該接着剤を介して前記対の紙片が剥離可能に貼り合わされた帳票であって、
一方の紙片の紙片幅方向での中央には切り込みを形成して周囲を囲むこの一方の紙片から分離可能にしたラベル領域部が設けられて、該ラベル領域部における重ね合わせ面の一端側には粘着剤が塗布され、
他方の紙片において前記ラベル領域部に相対する位置に剥離処理部が設けられて、前記剥離処理部は、該剥離処理部の重ね合わせ面における前記ラベル領域部の粘着剤に対応する位置に剥離剤が塗布され、前記ラベル領域部の粘着剤が塗布された領域を除く領域に対応する位置に一方の紙片側の前記接着剤との貼り合わせ接着度合いを小さくする接着力抑制域が設けられてなるものであることを特徴とするラベル付き帳票。
【発明の詳細な説明】
【０００１】
【発明の属する技術分野】
本発明はラベル付き帳票に関するものである。
【０００２】
【発明が解決しようとする課題】
従来から、物品の管理や受け渡しにおいては帳票を用い、その帳票に記載されている情報によって管理業務を行なうことが多く、さらには順次発行される帳票に対して物品を対応付け易くするなどを目的として帳票に加えてラベルを用いることも行われており、帳票とそのラベルとが対になった状態で発行するようにしている。そして、帳票とラベルとの組み合わせを取り扱い易くするために、帳票側にラベルを組み入れるようにすることが試みられており、例えば、ア）帳票にタック紙を連接したり、イ）帳票の所定部分に剥離剤を塗布してその部分にラベルを貼着しておいたりしている。また、ウ）帳票の所定部分に粘着剤を塗布して抜き形成できるラベルを設けてその粘着剤の部分を剥離紙で覆うようにしたり、エ）タック紙における剥離紙の一部を剥がしてから反転させて再び接着させ、これによって帳票部分とラベル部とを一つのタック紙から得ようとする試みがあった。
しかしながら、上記ア）イ）ウ）の場合、帳票とラベル部との間で厚みが異なり、プリンタでの搬送性、印字適性に欠けるという問題がある。また、エ）の場合、ラベル部と剥離紙の材質が異なり、異なる材質の紙材が同一面に並ぶ状態であるため、ノンインパクトプリンタを用いたときの搬送性に欠けるとともに、粘着剤のはみ出しによるプリンタ側へのトラブルが生じ易いという問題があった。
そこで本発明は上記事情に鑑み、同一材質の帳票とラベルとを組み合わせることで、プリンタ側への適性を良好なものとすることを課題とし、ラベル及び帳票に対してのプリンタによる情報印字を確実なものにすることを目的とする。
【０００３】
【課題を解決するための手段】
本発明は上記課題を考慮してなされたもので、略同一サイズとした対の紙片が折り部を介して連接して重ね合わされ、通常では接着することなく重ね合わせて所定の接着条件の付与により互いに接着する接着剤が前記紙片の重ね合わせ面それぞれに設けられて、該接着剤を介して前記対の紙片が剥離可能に貼り合わされた帳票であって、一方の紙片の紙片幅方向での中央には切り込みを形成して周囲を囲むこの一方の紙片から分離可能にしたラベル領域部が設けられて、該ラベル領域部における重ね合わせ面の一端側には粘着剤が塗布され、他方の紙片において前記ラベル領域部に相対する位置に剥離処理部が設けられて、前記剥離処理部は、該剥離処理部の重ね合わせ面における前記ラベル領域部の粘着剤に対応する位置に剥離剤が塗布され、前記ラベル領域部の粘着剤が塗布された領域を除く領域に対応する位置に一方の紙片側の前記接着剤との貼り合わせ接着度合いを小さくする接着力抑制域が設けられてなるものであることを特徴とするラベル付き帳票を提供して、上記課題を解消するものである。
【０００４】
【発明の実施の形態】
つぎに本発明を図１と図２に示す実施の形態に基づいて詳細に説明する。
図中１はラベル付き帳票で、該帳票１は図１に示されているようにラベル部Ａを片面側に表出させる形で有しているものであり、略同一サイズとした対の紙片２、３が折り部４を介して連接して重ね合わされているものである。そして、図２に示すように両紙片２、３の重ね合わせ面２ａ，３ａには、通常では接着することなく重ね合わせて所定の接着条件の付与により互いに接着する接着剤５、例えば剥離可能に接着する感圧性接着剤が予め塗布されていて、紙片２、３を重ね合わせたのちに接着条件、例えば加圧することで両紙片２、３がこの接着剤５によって剥離可能に貼り合わされているものである。
【０００５】
図２は、上記紙片２、３が貼り合わされてから所要の加工、即ち、紙片２への切り込み加工（後述の切り込みの形成）や両面印字印刷を行なった帳票を展開状態で示している。図２に示されているように、上記ラベル部Ａを構成する位置において紙片２には、該紙片２の幅方向中央にしてラベル領域部６が紙片２自体に入れたスリットやミシン目からなる切り込み７によって囲繞形成されて（紙片２、３の重ね合わせ状態で切り込まれる）紙片２から分離可能に設けられている。そして、該ラベル領域部６の一端側における重ね合わせ面２ａには粘着剤８が塗布されている。
一方、他方の紙片３におけるラベル部Ａではラベル領域部６が紙片３から剥ぎ取ることができるように設けられている。即ち、ラベル領域部６に相対する位置に剥離処理部９が設けられていて、この剥離処理部９にあっては、重ね合わせ面３ａおける前記ラベル領域部６の粘着剤８に対応する位置に、剥離剤１０が塗布されて、図１に示す紙片２、３の重ね合わせ状態において、ラベル領域部６の粘着剤８を塗布した部分を紙片３側からスリットやミシン目からなる切り込み７に沿って剥ぎ起こせるようにしている。
さらに、この剥離処理部９にあっては、上記ラベル領域部６の粘着剤８を除く領域に対応する位置に接着力抑制域１１が設けられている。この接着力抑制域１１は紙片２側の接着剤５との貼り合わせ接着度合いを小さくしようとするものであり、例えば、印刷を施すなどして接着力を抑制した領域である。
このようにすることでラベル領域部６は容易に剥ぎ取り操作できるものであり、また、紙片２自体からなるものであるため、面一で印字適性も帳票構成部分とこのラベル部とで何ら変ることがなく、適正に情報が印字できるものとなる。
【０００６】
このように紙片２、３が重ね合わされラベル部Ａを有した状態の帳票に対してラベル部表出面側に印字印刷するはかりか、両面プリントを行なうことも可能である。特に両面プリントを行なえば、そのプリントを行なった後の何れかの時点で紙片２、３を開くようにすれば、情報掲載面が折りサイズ時の倍になった帳票として取り扱えるようになり、より多くの情報を所持する帳票として利用できるものとなる。
【０００７】
【発明の効果】
以上説明したように、本発明のラベル付き帳票では、略同一サイズとした対の紙片が折り部を介して連接して重ね合わされ、通常では接着することなく重ね合わせて所定の接着条件の付与により互いに接着する接着剤が前記紙片の重ね合わせ面それぞれに設けられて、該接着剤を介して前記対の紙片が剥離可能に貼り合わされた帳票であって、一方の紙片の紙片幅方向での中央には切り込みを形成して周囲を囲むこの一方の紙片から分離可能にしたラベル領域部が設けられて、該ラベル領域部における重ね合わせ面の一端側には粘着剤が塗布され、他方の紙片において前記ラベル領域部に相対する位置に剥離処理部が設けられて、前記剥離処理部は、該剥離処理部の重ね合わせ面における前記ラベル領域部の粘着剤に対応する位置に剥離剤が塗布され、前記ラベル領域部の粘着剤が塗布された領域を除く領域に対応する位置に一方の紙片側の前記接着剤との貼り合わせ接着度合いを小さくする接着力抑制域が設けられてなるものであることを特徴とするものである。このように一方の紙片中に、その紙片の一部としてラベル部が存在しているため、同一材質で帳票もラベルも構成されたものとなり、印字適性が紙面上均一で、収縮変化も安定する帳票となる。そして、二つ折りして一枚のシートとしているため、いずれの個所において厚みによる段差を生じることがなく、この点においても印字適性、用紙送りが良好となる。そして、この帳票に対して表裏両面プリントしたのち紙片の間を開くことで、折りサイズの倍のサイズとして帳票が構成でき、より多くの情報を掲載する帳票として利用できるなど、実用性に優れた効果を奏するものである。
【図面の簡単な説明】
【図１】本発明に係るラベル付き帳票の一例を示す説明図である。
【図２】一例を展開した状態で示す説明図である。
【符号の説明】
１…ラベル付き帳票
２、３…紙片
５…接着剤
６…ラベル領域部
７…切り込み
８…粘着剤
９…剥離処理部
１０…剥離剤
１１…接着力抑制域
Ａ…ラベル部
【図１】
0004444441.tif 000002
【図２】
0004444441.tif 000003